(57)【特許請求の範囲】
【請求項１】
金属で形成される円筒状の胴部と、樹脂で形成され上側面部が前記胴部の下端と巻締めで固着される受け槽とで構成される洗濯兼脱水槽を備え、前記受け槽は、前記胴部と固着される上側面部に凹部を有し、前記胴部は、前記受け槽の凹部に対応する位置に穴を設け、前記穴の外周を前記凹部方向へ突出させることで前記受け槽の凹部に係合固着される抜き起こし部を設けたことを特徴とする脱水兼用洗濯機。
【請求項２】
胴部は、抜き起こし部に略ねじ部を形設して前記抜き起こし部を拡げることで受け槽の凹部に固着される請求項１記載の脱水兼用洗濯機。
【請求項３】
受け槽の上側面部に凹部に代えて穴部を設け、洗濯兼脱水槽は、胴部の下端を受け槽の上側面部に巻締めし、抜き起こし部を前記穴部に係合するとともに、前記抜き起こし部の端部を鍔状に拡げた請求項１記載の脱水兼用洗濯機。
【発明の詳細な説明】
【０００１】
【産業上の利用分野】
本発明は水受け槽に内包した洗濯兼脱水槽の底部にパルセーターを回転自在に配設した脱水兼用洗濯機に関するものである。
【０００２】
【従来の技術】
従来、この種の脱水兼用洗濯機は図５および図６に示すように構成していた。以下、その構成について説明する。
【０００３】
図５に示すように、水受け槽１は、底部にパルセ−タ−２を回転自在に配設した洗濯兼脱水槽３を内包している。水受け槽１の底部に基板４を取り付け、基板４には減速駆動機構部５、モ−タ６、排水装置７などを固着して水受け構成体８を形成している。水受け構成体８は、外枠体９に吊り棒１０および緩衝管１１により懸垂支持している。樹脂製の蓋１２は、樹脂製の天板１３に開閉自在に取り付け、天板１３を外枠体９の上部に固着し、天板１３には制御部品１４、給水装置１５などを配設している。
【０００４】
洗濯槽兼脱水槽３は、複数の小孔１６を有する胴部１７を円筒状の金属で形成し、この胴部１７の上部に流体バランサー１８を取り付け、胴部１７の下側には、図６に示すように、内側に突出した当て部１９を形設し、樹脂製の受け槽２０の上面側部２１に巻締めし、取付ねじ２２で胴部１７と受け槽２０とを固着している。
【０００５】
【発明が解決しようとする課題】
このような従来の構成では、洗濯兼脱水槽３は、金属製の胴部１７と樹脂製の受け槽２０とを巻締めし、取付ねじ２２により固定しているため、組立性が悪く、部品点数が多くなって製造単価が高くなるという欠点を有していた。
【０００６】
本発明は上記従来の課題を解決するもので、洗濯兼脱水槽の組立性を向上するとともに部品点数を低減することを目的としている。
【０００７】
【課題を解決するための手段】
本発明は上記目的を達成するために、金属で形成される円筒状の胴部と、樹脂で形成され上側面部が前記胴部の下端と巻締めで固着される受け槽とで構成される洗濯兼脱水槽を備え、前記受け槽は、前記胴部と固着される上側面部に凹部を有し、前記胴部は、前記受け槽の凹部に対応する位置に穴を設け、前記穴の外周を前記凹部方向へ突出させることで前記受け槽の凹部に係合固着される抜き起こし部を設けたことを第１の課題解決手段としている。
【０００８】
また、上記第１の課題解決手段の胴部は、抜き起こし部に略ねじ部を形設して前記抜き起こし部を拡げることで受け槽の凹部に固着されることを第２の課題解決手段としている。
【０００９】
また、上記第１の課題解決手段の脱水兼用洗濯機は、受け槽の上側面部に凹部に代えて穴部を設け、洗濯兼脱水槽は、胴部の下端を受け槽の上側面部に巻締めし、抜き起こし部を前記穴部に係合するとともに、前記抜き起こし部の端部を鍔状に拡げたことを第３の課題解決手段としている。
【００１０】
【作用】
本発明は上記した第１の課題解決手段により、洗濯兼脱水槽を構成する金属で形成した円筒状の胴部と、樹脂で形成した受け槽とを胴部の下端を受け槽の上側面部に巻締めするとともに、胴部側面よりの抜き起こした穴部を受け槽に設けた凹部に係合固着することによって、取付ねじを使用することなく胴部と受け槽とを固着することができ、組立性を向上できるとともに、部品点数を低減することができる。
【００１１】
また、第２の課題解決手段により、洗濯兼脱水槽の胴部の下端を受け槽の上側面部に巻締めするとともに胴部側面よりの抜き起こした穴部を受け槽に設けた凹部に係合固着し、さらに抜き起こした穴部に略ねじ部を形設することによって、抜き起こした穴部を拡げて固着することができ、胴部の下端と受け槽との固着力を一層大きくすることができる。
【００１２】
また、第３の課題解決手段により、洗濯兼脱水槽の胴部の下端を受け槽の上側面部に巻締めするとともに胴部側面よりの抜き起こした穴部を受け槽に設けた穴部に係合し、さらに抜き起こした穴部の端部を鍔状に拡げることによって、胴部の下端と受け槽との固着力をさらに大きくすることができる。
【００１３】
【実施例】
以下、本発明の第１の実施例を図１および図２を参照しながら説明する。なお、従来例と同じ構成のものは同一符号を付して説明を省略する。
【００１４】
図に示すように、洗濯槽兼脱水槽２３は、複数の小孔１６を有する胴部２４を円筒状のステンレス鋼板で構成し、この胴部２４の下側には、図２に示すように、内側に突出した当て部２５を形設し、樹脂製の受け槽２６の上面側部２７の上面に当接させている。受け槽２６の上面側部２７に凹部２８を形設し、胴部２４の下側側面部に抜き起こした穴部２９を形設し、この抜き起こした穴部２９を凹部２８と係合させ、かつ、胴部２４の下側は受け槽２６の上面側部２７に巻締めしている。
【００１５】
上記構成において作用を説明すると、円筒状の胴部２４と受け槽２６とを胴部２４の下端を受け槽２６の上側面部２７に巻締めするとともに、胴部２４の側面よりの抜き起こした穴部２９を受け槽２６に設けた凹部２８に係合固着することによって、取付ねじを使用することなく胴部２４と受け槽２６とを固着することができ、組立性を向上できるとともに、部品点数を低減することができる。
【００１６】
つぎに、本発明の第２の実施例を図３を参照しながら説明する。なお、上記第１の実施例と同じ構成のものは同一符号を付して説明を省略する。
【００１７】
図に示すように、洗濯兼脱水槽２３は、胴部２４の下端を受け槽２６の上側面部２７に巻締めし、胴部２６の側面よりの抜き起こした穴部２９を受け槽２６に設けた凹部２８に係合固着するとともに、抜き起こした穴部２９に略ねじ部３０を形設して抜き起こした穴部２９を拡げ、凹部２８に固着させている。
【００１８】
上記構成において作用を説明すると、洗濯兼脱水槽２３の胴部２４の下端を受け槽２６の上側面部に巻締めするとともに胴部２４の側面よりの抜き起こした穴部２９を受け槽２６に設けた凹部２８に係合固着し、さらに抜き起こした穴部２９に略ねじ部３０を形設することによって、抜き起こした穴部２９を拡げて固着することができ、胴部２４の下端と受け槽２６との固着力を一層大きくすることができる。
【００１９】
つぎに、本発明の第３の実施例を図４を参照しながら説明する。なお、上記第１の実施例と同じ構成のものは同一符号を付して説明を省略する。
【００２０】
図に示すように、受け槽３１は、上側面部３２に段付きの穴部３３を設け、胴部２４の下端を受け槽３１の上側面部に巻締めし、胴部２４の側面よりの抜き起こした穴部２９を穴部３３に係合するとともに、抜き起こした穴部２９の端部３４を鍔状に拡げている。
【００２１】
上記構成において作用を説明すると、胴部２４の下端を受け槽３１の上側面部３２に巻締めするとともに胴部２４の側面よりの抜き起こした穴部２９を受け槽３１に設けた穴部３３に係合し、さらに抜き起こした穴部２９の端部３４を鍔状に拡げることによって、胴部２４の下端と受け槽３１との固着力をさらに大きくすることができる。
【００２２】
なお、上記各実施例では、胴部２４と受け槽２６、３１について説明したが、胴部２４と流体バランサ−１８の取り付けにおいても適用することができる。
【００２３】
【発明の効果】
以上のように本発明は、金属で形成される円筒状の胴部と、樹脂で形成され上側面部が前記胴部の下端と巻締めで固着される受け槽とで構成される洗濯兼脱水槽を備え、前記受け槽は、前記胴部と固着される上側面部に凹部を有し、前記胴部は、前記受け槽の凹部に対応する位置に穴を設け、前記穴の外周を前記凹部方向へ突出させることで前記受け槽の凹部に係合固着される抜き起こし部を設けたから、洗濯兼脱水槽を構成する金属で形成した円筒状の胴部と、樹脂で形成した受け槽とを胴部の下端を受け槽の上側面部に巻締めするとともに、胴部側面よりの抜き起こした穴部を受け槽に設けた凹部に係合固着することによって、取付ねじを使用することなく胴部と受け槽とを固着することができ、組立性を向上できるとともに、部品点数を低減することができ、製造単価を低減することができる。
【００２４】
また、胴部は、抜き起こし部に略ねじ部を形設して前記抜き起こし部を拡げることで受け槽の凹部に固着されるから、洗濯兼脱水槽の胴部の下端を受け槽の上側面部に巻締めするとともに胴部側面よりの抜き起こした穴部を受け槽に設けた凹部に係合固着し、さらに抜き起こした穴部に略ねじ部を形設することによって、抜き起こした穴部を拡げて固着することができ、胴部の下端と受け槽との固着力を一層大きくすることができる。
【００２５】
また、受け槽の上側面部に凹部に代えて穴部を設け、洗濯兼脱水槽は、胴部の下端を受け槽の上側面部に巻締めし、抜き起こし部を前記穴部に係合するとともに、前記抜き起こし部の端部を鍔状に拡げたから、洗濯兼脱水槽の胴部の下端を受け槽の上側面部に巻締めするとともに胴部側面よりの抜き起こした穴部を受け槽に設けた穴部に係合し、さらに抜き起こした穴部の端部を鍔状に拡げることによって、胴部の下端と受け槽との固着力をさらに大きくすることができる。
【図面の簡単な説明】
【図１】  本発明の第１の実施例の脱水兼用洗濯機の断面図
【図２】  同脱水兼用洗濯機の洗濯兼脱水槽の要部拡大断面図
【図３】  本発明の第２の実施例の脱水兼用洗濯機の洗濯兼脱水槽の要部拡大断面図
【図４】  本発明の第３の実施例の脱水兼用洗濯機の洗濯兼脱水槽の要部拡大断面図
【図５】  従来の脱水兼用洗濯機の縦断面図
【図６】  同脱水兼用洗濯機の洗濯兼脱水槽の要部拡大断面図
【符号の説明】
１  水受け槽
２  パルセーター
２３  洗濯槽兼脱水槽
２４  胴部
２６  受け槽
２７  上面側部
２８  凹部
２９  抜き起こし穴部
【図１】
0003747490.tif 000002
【図２】
0003747490.tif 000003
【図３】
0003747490.tif 000004
【図４】
0003747490.tif 000005
【図５】
0003747490.tif 000006
【図６】
0003747490.tif 000007